(57)【要約】【課題】洗濯水を布に迅速に均一に供給することにより、洗濯性能及び濯ぎ性能を向上できる洗濯機を提供する。【解決手段】キャビネット５０に支持されたタブ６０と、前記タブ６０の内側に回転自在に配置されて布ｍを収容するドラム７６と、前記ドラム７６に装着されたスパイダー８０と、前記ドラム７６を回転するために前記スパイダー８０に連結されたドライブシャフト８６と、前記ドラム７６の内面に装着されたリフター９０と、前記ドライブシャフト８６、スパイダー８０、ドラム７６及びリフター９０を通過した水を前記ドラム７６の内部に供給するために形成された給水流路８７，８５，７９，９１と、を含んで洗濯機を構成する。【選択図】図２
2006110362.tif 000002
【特許請求の範囲】
【請求項１】
キャビネットに支持されたタブと、
前記タブの内側に回転自在に配置されて布を収容するドラムと、
前記ドラムに装着されたスパイダーと、
前記ドラムを回転するために前記スパイダーに連結されたドライブシャフトと、
前記ドラムの内面に装着されたリフターと、
前記ドライブシャフト、スパイダー、ドラム及びリフターを通過した洗濯水を前記ドラムの内部に供給するために形成された給水流路と、
を含むことを特徴とする洗濯機。
【請求項２】
前記洗濯機は、給水バルブと、
前記給水バルブを通過した洗濯水を案内するために連結された給水ホースと、
前記給水ホースを通過した洗濯水が通過するように設置された洗剤ボックスと、
前記洗剤ボックスを通過した洗濯水を前記給水流路に案内するために設置された案内流路と、をさらに含むことを特徴とする請求項１に記載の洗濯機。
【請求項３】
前記洗濯機は、前記タブ内の洗濯水を排出するために設置された排水流路と、
前記排水流路に排出された洗濯水をポンピングするために設置された循環ポンプと、
前記循環ポンプでポンピングされた洗濯水を前記給水流路に案内するために設置された案内流路と、をさらに含むことを特徴とする請求項１に記載の洗濯機。
【請求項４】
前記洗濯機は、前記給水流路と案内流路との間の漏水を防止するために設置されたシーリング部材をさらに含むことを特徴とする請求項３に記載の洗濯機。
【請求項５】
前記洗濯機は、前記ドライブシャフトを支持するために設置された複数個のベアリングと、
給水バルブと、
前記給水バルブを通過した洗濯水を案内するために連結された給水ホースと、
前記給水ホースを通過した洗濯水が通過されるように設置された洗剤ボックスと、
前記洗剤ボックスを通過した洗濯水を前記複数個のベアリングの間に案内した後、前記給水流路に流入させるために、洗濯水を前記複数個のベアリングの間に案内する案内流路と、をさらに含むことを特徴とする請求項１に記載の洗濯機。
【請求項６】
前記洗濯機は、前記ドライブシャフトを支持するために設置された複数個のベアリングと、
前記タブ内の洗濯水を排出するために設置された排水流路と、
前記排水流路に排出された洗濯水をポンピングするために設置された循環ポンプと、
前記循環ポンプでポンピングされた洗濯水を前記複数個のベアリングの間に案内した後、前記給水流路に流入させるために、洗濯水を前記複数個のベアリングの間に案内する案内流路と、をさらに含むことを特徴とする請求項１に記載の洗濯機。
【請求項７】
キャビネットに支持されたタブと、
前記タブの内側に回転自在に配置されて布を収容するドラムと、
前記ドラムを回転するために設置されかつ前記ドラムの内部に連通する給水流路が形成されたドライブシャフトと、
前記タブ内の洗濯水が前記給水流路を通過して前記ドラムの内部に供給されるように、前記給水流路に洗濯水を流動させる循環装置と、を含むことを特徴とする洗濯機。
【請求項８】
前記循環装置は、前記タブ内の洗濯水を案内するために設置された排水流路と、
前記排水ベローズに案内された洗濯水をポンピングするために設置された循環ポンプと、
前記循環ポンプでポンピングされた洗濯水を前記給水流路に案内するために設置された案内流路と、を含むことを特徴とする請求項７に記載の洗濯機。
【請求項９】
前記洗濯機は、前記給水流路と案内流路との間の漏水を防止するために設置されたシーリング部材をさらに含むことを特徴とする請求項７に記載の洗濯機。
【請求項１０】
キャビネットに支持されたタブと、
前記タブの内側に回転自在に配置されて布を収容するドラムと、
前記ドラムを回転するために設置されたドライブシャフトと、
前記ドライブシャフトを支持するために設置された複数個のベアリングと、
前記複数個のベアリングの間に連通しかつ前記ドラムの内部に連通するように前記ドライブシャフトに形成された給水流路と、
前記タブ内の洗濯水が前記複数個のベアリングの間及び前記給水流路を順に通過して前記ドラムの内部に供給されるように、前記複数個のベアリングの間に洗濯水を流動させる循環装置と、を含むことを特徴とする洗濯機。
【請求項１１】
前記ドライブシャフトの前記給水流路は、前記複数個のベアリングの間の周りに入口が形成され、かつ前記ドラム側に出口が形成されていることを特徴とする請求項１０に記載の洗濯機。
【請求項１２】
前記循環装置は、前記タブ内の洗濯水を案内するために設置された排水流路と、
前記排水流路に案内された洗濯水をポンピングするために設置された循環ポンプと、
前記循環ポンプでポンピングされた洗濯水を前記複数個のベアリングの間に案内するために設置された案内流路と、を含むことを特徴とする請求項１０に記載の洗濯機。
【発明の詳細な説明】
【技術分野】
【０００１】
本発明は、洗濯機に関し、詳しくは、洗濯水がドライブシャフトを通ってドラムの内部に供給される洗濯機に関する。
【背景技術】
【０００２】
一般に、洗濯機は、洗剤と水との作用によって衣類、寝具など(以下、‘布’という)の汚染物質を取り除く機器であって、撹拌式(agitator type)、パルセーター式(pulsator type)及びドラム式(drum type)洗濯機に区分される。
撹拌式洗濯機は、洗濯槽の中央から突き出た洗濯棒を左右に回転して洗濯し、パルセーター式洗濯機は、洗濯槽の下部に形成された円板状のパルセーターを左右に回転することで、水流と布との間の摩擦力を用いて洗濯し、ドラム式洗濯機は、内面から複数個のリフターが突出したドラム内に水、洗剤及び布を入れた後、ドラムを回転して洗濯する。
【０００３】
図１は、従来の洗濯機の内部を示した断面図である。
従来の洗濯機は、図１に示すように、キャビネット２と、このキャビネット２の内部に装着されて洗濯水ｗを収容するタブ４と、このタブ４の内側に回転自在に配置されて布ｍを収容するドラム６と、このドラム６を回転するために前記タブ６を貫通するドライブシャフト８と、このドライブシャフト８を回転駆動する駆動手段１０と、前記タブ４に洗濯水ｗを供給する給水装置１２と、前記タブ４内の洗濯水ｗを排出する排水装置１４と、を含んで構成される。
【０００４】
上記のように構成された洗濯機において、洗濯水ｗは、前記給水装置１２を通って前記タブ４の内側に供給されてタブ４の内側下部に満された後、布ｍを濡らすために、前記ドラム６の内部に流入される。また、前記ドラム６がタブ５内で回転されると、布ｍが前記ドラム６の内部で揺れ動くことで布ｍの洗濯または濯ぎが行われる。
【０００５】
上記のような布ｍの洗濯または濯ぎが所定時間の間行われた後、前記タブ４内の汚染された洗濯水ｗは、前記排水装置１４を通って洗濯機の外部に排出される。
【０００６】
一方、最近は、図１に示すように、前記タブ４内の洗濯水ｗを前記ドラム６の前方上側にポンピングした後、前記ドラム６の内部に向かって噴射する循環装置１４が装着されることで、洗濯性能や濯ぎ性能が向上しつつある。
【０００７】
しかしながら、従来の洗濯機は、洗濯水ｗを前記ドラム６の前方上側までポンピングする流路が長くて流路抵抗が増加するため、多量の洗濯水ｗを迅速に噴射しにくいという問題点があった。
【０００８】
また、前記洗濯水ｗを前記ドラム６の前方上側から前記ドラム６の内部に向かって噴射することで、非噴射領域Ａが存在することになり、前記洗濯水ｗを布ｍに全体的に均一に噴射できないという問題点があった。
【発明の開示】
【発明が解決しようとする課題】
【０００９】
本発明は、上記の問題点を解決するためになされたもので、洗濯水を布に迅速かつ均一に供給することで、洗濯性能及び濯ぎ性能を向上できる洗濯機を提供することを目的とする。
【課題を解決するための手段】
【００１０】
上記の目的を達成するために、本発明による洗濯機は、キャビネットに支持されたタブと、前記タブの内側に回転自在に配置されて布を収容するドラムと、前記ドラムに装着されたスパイダーと、前記ドラムを回転するために前記スパイダーに連結されたドライブシャフトと、前記ドラムの内面に装着されたリフターと、前記ドライブシャフト、スパイダー、ドラム及びリフターを通過した洗濯水を前記ドラムの内部に供給するために形成された給水流路と、を含んで構成されることを特徴とする。
【００１１】
前記洗濯機は、給水バルブと、前記給水バルブを通過した洗濯水を案内するために連結された給水ホースと、前記給水ホースを通過した洗濯水が通過するように設置された洗剤ボックスと、前記洗剤ボックスを通過した洗濯水を前記給水流路に案内するために設置された案内流路と、をさらに含んで構成されることを特徴とする。
【００１２】
前記洗濯機は、前記タブ内の洗濯水を排出するために設置された排水流路と、前記排水流路に排出された洗濯水をポンピングするために設置された循環ポンプと、前記循環ポンプでポンピングされた洗濯水を前記給水流路に案内するために設置された案内流路と、をさらに含んで構成されてよい。
【００１３】
前記洗濯機は、前記給水流路と案内流路との間の漏水を防止するために設置されたシーリング部材をさらに含んで構成されてよい。
【００１４】
前記洗濯機は、前記ドライブシャフトを支持するために設置された複数個のベアリングと、給水バルブと、前記給水バルブを通過した洗濯水を案内するために連結された給水ホースと、前記給水ホースを通過した洗濯水が通過するように設置された洗剤ボックスと、前記洗剤ボックスを通過した洗濯水を前記複数個のベアリングの間に案内した後、前記給水流路に流入させるために、洗濯水を前記複数個のベアリングの間に案内する案内流路と、をさらに含んで構成されてよい。
【００１５】
前記洗濯機は、前記ドライブシャフトを支持するために設置された複数個のベアリングと、前記タブ内の洗濯水を排出するために設置された排水流路と、前記排水流路に排出された洗濯水をポンピングするために設置された循環ポンプと、前記循環ポンプでポンピングされた洗濯水を前記複数個のベアリングの間に案内した後、前記給水流路に流入させるために、洗濯水を前記複数個のベアリングの間に案内する案内流路と、をさらに含んで構成されてよい。
【００１６】
本発明による洗濯機は、キャビネットに支持されたタブと、前記タブの内側に回転自在に配置されて布を収容するドラムと、前記ドラムを回転するために設置され、前記ドラムの内部に連通する給水流路が形成されたドライブシャフトと、前記タブ内の洗濯水が前記給水流路を通過して前記ドラムの内部に供給されるように、前記給水流路に洗濯水を流動させる循環装置と、を含んで構成されることを特徴とする。
【００１７】
前記循環装置は、前記タブ内の洗濯水を案内するために設置された排水流路と、前記排水ベローズに案内された洗濯水をポンピングするために設置された循環ポンプと、前記循環ポンプでポンピングされた洗濯水を前記給水流路に案内するために設置された案内流路と、を含んで構成されてよい。
【００１８】
前記洗濯機は、前記給水流路と案内流路との間の漏水を防止するために設置されたシーリング部材をさらに含んで構成されてよい。
【００１９】
本発明による洗濯機は、キャビネットに支持されたタブと、前記タブの内側に回転自在に配置されて布を収容するドラムと、前記ドラムを回転するために設置されたドライブシャフトと、前記ドライブシャフトを支持するために設置された複数個のベアリングと、前記複数個のベアリングの間に連通し、前記ドラムの内部に連通するように前記ドライブシャフトに形成された給水流路と、前記タブ内の洗濯水が前記複数個のベアリングの間及び前記給水流路を順に通過して前記ドラムの内部に供給されるように、前記複数個のベアリングの間に洗濯水を流動させる循環装置と、を含んで構成されることを特徴とする。
【００２０】
前記ドライブシャフトの前記給水流路は、前記複数個のベアリングの間の周りに入口が形成され、前記ドラム側に出口が形成されてよい。
【００２１】
前記循環装置は、前記タブ内の洗濯水を案内するために設置された排水流路と、前記排水流路に案内された洗濯水をポンピングするために設置された循環ポンプと、前記循環ポンプでポンピングされた洗濯水を前記複数個のベアリングの間に案内するために設置された案内流路と、を含んで構成されてよい。
【発明の効果】
【００２２】
本発明による洗濯機は、洗濯水がドライブシャフト、スパイダー、ドラム及びリフターを順に通過した後、リフターからドラムの内部に向かって噴射されるので、洗濯水が布に迅速かつ均一に供給されることで、洗濯性能及び濯ぎ性能を向上できる。
【００２３】
また、本発明による洗濯機は、洗濯水がドラムの内周面側からドラムの中央側に向かって噴射されるので、洗濯水が噴射されない非噴射領域を最小化することで、洗濯水を布に均一に濡らすことができる。
【００２４】
また、本発明による洗濯機は、洗濯水がドラムの上側高さまでポンピングされずに、ドラムの中央高さまでポンピングされるため、ポンピング高さ及び流路抵抗を最小化することで、多量の洗濯水を迅速に循環できる。
【００２５】
また、本発明による洗濯機は、タブ内の洗濯水が循環装置によってドライブシャフトの内部を通過した後、ドラムの内部に供給されるので、構造が簡単になる。
【００２６】
また、本発明による洗濯機は、洗濯水がドラムの内側中央からドラムの周面に向かって全方向に遠心噴射されるので、洗濯水が噴射されない非噴射領域を最小化することで、洗濯水を布に均一に濡らすことができる。
【発明を実施するための最良の形態】
【００２７】
以下、本発明の実施の形態を図面に基づいて説明する。本実施形態を説明するにおいて、同一構成には同一名称及び符号を付し、それに対する付加的な説明は省略する。
【００２８】
図２は、本発明による洗濯機の第１実施形態を示した一部切欠斜視図で、図３は、本発明による洗濯機の第１実施形態の内部構成を示した断面図である。
【００２９】
本実施形態による洗濯機は、図２及び図３に示すように、洗濯機の外観をなすキャビネット５０と、このキャビネット５０の内部に支持されたタブ６０と、このタブ６０の内側に回転自在に配置されて布ｍを収容するドラム７６と、このドラム７６に装着されたスパイダー８０と、前記ドラム７６を回転するためにスパイダー８０に連結されたドライブシャフト８６と、前記ドラム７６の内面に装着されたリフター９０と、を含んで構成されており、前記ドライブシャフト８６、スパイダー８０、ドラム７６及びリフター９０には、前記ドライブシャフト８６、スパイダー８０、ドラム７６及びリフター９０を順に通過した洗濯水ｗをドラム７６の内部に供給するための給水流路８７，８５，７９，９１がそれぞれ形成される。
【００３０】
前記キャビネット５０は、ベースファン５２と、このベースファン５２の上側に配置されたキャビネット本体５４と、このキャビネット本体５４の上面に配置されたトップカバー５６と、前記キャビネット本体５４の前面に配置されたキャビネットカバー５８と、を含んで構成される。
【００３１】
前記トップカバー５６またはキャビネットカバー５８の上側には、前記洗濯機を操作するためのコントロールパネル５７が配置される。
【００３２】
前記キャビネットカバー５８には、布出し入れホール５８ａが形成される。
前記キャビネットカバー５８には、前記布出し入れホール５８ａを開閉するためのドア５９が回動自在に連結される。
【００３３】
前記タブ６０は、水平または所定角度だけ傾斜して配置された円筒体であり、前記キャビネット本体５４に連結されたスプリング６１によって懸架されて支持されるとともに、前記ベースファン５２に連結されたダンパー６２によって緩衝可能に支持される。
【００３４】
前記タブ６０は、前面中央に布ｍを出し入れするための開口ホール６３が形成され、下部一側に洗濯水を排出するための排水装置６４が連結される。
【００３５】
前記排水装置６４は、前記タブ６０に連結された排水ベローズ６５と、この排水ベローズ６５に排出された洗濯水ｗをポンピングするために設置された排水ポンプ６６と、この排水ポンプ６６でポンピングされた洗濯水ｗを洗濯機の外部に案内する排水ホース６７と、を含んで構成される。
【００３６】
一方、前記タブ６０には、前記ドライブシャフト８６を回転するための駆動手段７０が設置される。
【００３７】
前記駆動手段７０は、前記タブ６０の背面に装着され、前記ドライブシャフト８６が軸設されたモーターにより構成されることで、前記ドライブシャフト８６を通して前記ドラムを直接回転することができる。また、前記駆動手段７０は、前記タブ６０の下部に装着されたモーターと、このモーターの回転軸に連結された駆動プーリーと、前記ドライブシャフト８６に連結された従動プーリーと、これら駆動プーリー及び従動プーリーに巻かれたベルトと、から構成されることで、前記ベルト及びドライブシャフト８６を通して前記ドラムを回転することもできるが、以下、前記ドライブシャフト８６が軸設されたモーター７０により構成された場合を説明する。
【００３８】
前記モーター７０は、前記タブ６０の背面に装着された固定子７１と、この固定子７１との間で形成された電磁力によって回転しかつ前記ドライブシャフト８６に連結された回転子７２と、から構成される。
【００３９】
前記ドラム７６は、前記タブ６０と同様に、水平または所定角度傾斜して配置された円筒体であり、前面中央に布ｍまたは洗濯水を出し入れするための開口ホール７７が形成され、周面または背面に洗濯水を流出入するための通孔７８が形成される。
【００４０】
前記ドラム７６には、前記スパイダー８０の給水流路８５及び前記リフター９０の給水流路９１に連通される給水流路７９が形成される。
【００４１】
前記ドラム７６の給水流路７９は、前記スパイダー８０の給水流路８５の出口と前記リフター９０の給水流路９１の入口との間に位置されるように、前記ドラム７６の背面にホール状に形成される。
【００４２】
前記スパイダー８０は、前記ドライブシャフト８６が固定されるシャフト固定部８２と、このシャフト固定部８２から半径方向に突出されかつ前記ドラム７６に締結部材などの固定手段によって固定されるドラム固定部８４と、から構成される。
【００４３】
前記ドラム固定部８２は、少なくとも２個以上形成される。
【００４４】
前記スパイダー８０には、中央が前記ドライブシャフト８６の給水流路８７に連通し、外側端が前記ドラム７６の給水流路７９に連通される給水流路８５が形成される。
【００４５】
前記ドライブシャフト８６の給水流路８７は、中空パイプ状に形成される。
【００４６】
前記リフター９０は、布ｍを前記ドラム７６の内部で持ち上げてから落下するために、前記ドラム７６の内周面に突出して装着される。
前記リフター９０は、前記ドラム７６の内周面に長さ方向に配置される。
前記リフター９０は、前記ドラム７６の円周方向に複数個が離隔して配置される。
前記リフター９０には、前記ドラム７６の給水流路７９に連通し、前記ドラム７６の内部に連通する給水流路９１が形成される。
前記リフター９０には、前記給水流路９１に供給された洗濯水ｗをドラム７６の内部に噴射するための噴射ノズル９２が備わる。
前記リフター９０には、前記噴射ノズル９２が複数個形成されることが好ましい。
前記噴射ノズル９２は、前記リフター９０の上面部だけでなく、側面部にも形成されることが好ましい。
【００４７】
一方、前記洗濯機は、前記給水流路８７，８５，７９，９１、特に、前記ドライブシャフト８６の給水流路８７に洗濯水を供給する給水装置９３をさらに含んで構成される。
【００４８】
前記給水装置９３は、外部ホース９４ａに供給される洗濯水ｗを調節するために前記洗濯機に設置された給水バルブ９４と、この給水バルブ９４を通過した洗濯水ｗを案内するために連結された給水ホース９５と、この給水ホース９５を通過した洗濯水ｗが通過される洗剤ボックス９６と、この洗剤ボックス９６を通過した洗濯水ｗを前記給水流路８７，８５，７９，９１、特に、前記ドライブシャフト８６の給水流路８７に案内するために設置された案内流路９７と、をさらに含んで構成される。
【００４９】
前記給水ホース９５は、一端が前記給水バルブ９４に連結され、他端が前記洗剤ボックス９６に連結される。
【００５０】
前記案内流路９７は、一端が前記洗剤ボックス９６に連通し、他端が前記給水流路８７，８５，７９，９１、特に、前記ドライブシャフト８６の給水流路８７に連通する給水ベローズ管によって形成される。
【００５１】
一方、前記洗濯機は、前記給水流路８７，８５，７９，９１、特に、前記ドライブシャフト８６の給水流路８７と案内流路９６との間の漏水を防止するために設置されたシーリング部材９８をさらに含んで構成される。
【００５２】
前記シーリング部材９８は、前記ドライブシャフト８６またはモーター７０に固定され、前記給水ベローズ管９７がスライド自在に配置されるか、または、前記シーリング部材９８は、前記給水ベローズ管９７に固定され、前記ドライブシャフト８６またはモーター７０にスライド自在に配置されるが、以下、前記ドライブシャフト８６またはモーター７０に固定され、前記給水ベローズ管９７がスライド自在に配置される場合を説明する。
【００５３】
図面符号１１２、１１６は、前記ドライブシャフト８２を支持するために前記タブ６０側に設置されたベアリングである。
図面符号１２０は、前記タブ６０に装着されて前記複数個のベアリング１１２，１１６を支持するベアリングホルダーである。
【００５４】
以下、上記のように構成された本発明の動作を説明する。
まず、前記ドラム７６の内部に布ｍを投入し、前記洗剤ボックス９６に洗剤を入れて前記ドア５９を閉じた後、洗濯、濯ぎなどの行程及び時間を選択すると、前記給水バルブ９４が所定時間の間オンになり、所定量の洗濯水ｗが送られる。
【００５５】
前記給水バルブ９４を通過した洗濯水ｗは、前記給水ホース９５を通過して前記洗剤ボックス９６に流入された後、前記洗剤ボックス９６内で洗剤と混合されて前記洗剤ボックス９６を通過し、前記給水ベローズ管９７を通して前記ドライブシャフト８６の後方に案内される。
【００５６】
前記ドライブシャフト８６の後方に案内された洗剤と混合された洗濯水ｗは、前記ドライブシャフト８６の給水流路８７に案内されて前記ドライブシャフト８６を通過し、前記スパイダー８０の給水流路８５に案内されて前記スパイダー８０を通過し、前記ドラム７６の給水流路７９を通過して前記リフター９０の給水流路９１に流入される。
【００５７】
前記リフター９０の給水流路９１に流入された洗剤を含む洗濯水ｗは、布ｍを濡らすために、前記噴射ノズル９２を通して前記ドラム７６の内側に向かって噴射され、布ｍに直接接触する。
【００５８】
その後、前記モーター７０がオンになって前記ドライブシャフト８６が回転すると、前記スパイダー８０及びドラム７６は、前記ドライブシャフト８６と一緒に回転する。また、前記リフター９０が、布ｍを前記ドラム７６の内側上部に持ち上げた後、前記ドラム７６の内側上部から自重によって落下して揺れ動くことで、布ｍの汚染物質が落ちるようになる。
【００５９】
一方、前記洗濯機は、上記のようにドラム７６が回転するとき、前記給水バルブ９４が所定時間の間オンになると、前記給水バルブ９４を通過した洗濯水ｗが、前記給水ホース９５、洗剤ボックス９６、給水ベローズ管９７、ドライブシャフト８６の給水流路８７、スパイダー９０の給水流路８５、ドラム７６の給水流路７９及びリフター９０の給水流路９１を順に通過し、前記噴射ノズル９２を通過しながら前記ドラム７４の内側に向かって強く噴射されることにより、布ｍと一層強く衝突して布ｍの洗浄力を向上させる。
【００６０】
前記洗濯機は、前記洗濯行程が所定時間の間行われた後、前記モーター７０がオフになり、前記排水ポンプ６６が所定時間の間駆動すると、前記タブ６０内の汚染された洗濯水ｗは、前記排水ベローズ管６５、排水ポンプ６６及び排水ホース６７を順に通過して前記洗濯機の外部に排出される。
【００６１】
その後、前記洗濯機は、布ｍの泡を濯ぐための濯ぎ行程を行う。
濯ぎ行程時、前記給水バルブ９４は、所定時間の間オンになって所定量の洗濯水ｗを通過させる。また、前記給水バルブ９４を通過した洗濯水ｗは、前記洗濯行程時と同様に、前記給水ホース９５を通過して前記洗剤ボックス９６に流入され、洗剤との混合なしに前記洗剤ボックス９６を通過し、前記給水ベローズ管９７を通して前記ドライブシャフト８６の後方に案内される。
【００６２】
前記ドライブシャフト８６の後方に案内された洗濯水は、前記洗濯行程前の給水時と同様に、布ｍを濡らすために、前記ドラム７６の内側に向かって噴射されて布ｍに直接接触される。
【００６３】
その後、前記モーター７０がオンになって前記ドライブシャフト８６が回転すると、前記リフター９０は、前記洗濯行程時と同様に、布ｍを揺れ動かしながら布ｍの泡を濯ぐようになる。
【００６４】
前記洗濯機は、前記濯ぎ行程中、すなわち、前記ドラム７６の回転中に前記給水バルブ９４が所定時間の間オンになると、前記給水バルブ９４を通過した洗濯水ｗが、前記洗濯行程時と同様に、前記ドラム７４の内側に向かって強く噴射されることにより、布ｍと一層強く衝突して布ｍの濯ぎ力を向上させる。
【００６５】
その後、前記洗濯機は、前記濯ぎ行程が所定時間の間行われた後、前記モーター７０がオフになり、前記排水ポンプ６６が駆動されると、泡を含む洗濯水ｗは、前記排水ベローズ管６５、排水ポンプ６６及び排水ホース６７を順に通過して前記洗濯機の外部に排出される。
【００６６】
図４は、本発明による洗濯機の第２実施形態を示した一部切欠斜視図で、図５は、本発明による洗濯機の第２実施形態の内部構成を示した断面図である。
【００６７】
本実施形態による洗濯機は、図４及び図５に示すように、洗濯水ｗをタブ６０に供給する給水装置９３´と、前記タブ６０内の洗濯水ｗがドライブシャフト８６の給水流路８７、スパイダー８０の給水流路８５、ドラム７６の給水流路７９及びリフター９０の給水流路９１を順に通過した後、前記ドラム７６の内部に供給されるように、洗濯水ｗを循環させる循環装置１００と、を含んで構成される。ここで、前記給水装置９３´及び循環装置１００以外の他の構成及び作用は、本発明の第１実施形態と同一であるので、同一符号を付して詳細な説明を省略する。
【００６８】
前記給水装置９３´は、外部ホース９４ａ´に供給される洗濯水ｗを調節するために前記洗濯機に設置された給水バルブ９４´と、この給水バルブ９４´を通過した洗濯水ｗを案内するために連結された給水ホース９５´と、この給水ホース９５´を通過した洗濯水ｗを通過させるために設置された洗剤ボックス９６´と、この洗剤ボックス９６´を通過した洗濯水ｗを前記タブ６０に案内するために連結された給水ベローズ管９７´と、を含んで構成される。
【００６９】
前記給水ホース９５´は、一端が前記給水バルブ９４´に連結され、他端が前記洗剤ボックス９６´に連結される。
【００７０】
前記給水ベローズ管９７´は、一端が前記洗剤ボックス９６´に連結され、他端が前記タブ６０に連結される。
【００７１】
前記循環装置１００は、前記タブ６０内の洗濯水ｗを排出するために設置された排水流路１０２と、この排水流路１０２に排出された洗濯水ｗをポンピングするために設置された循環ポンプ１０４と、この循環ポンプ１０４でポンピングされた洗濯水を前記給水流路８７，８５，７９，９１、特に、前記ドライブシャフト８６の給水流路８７に案内するために設置された案内流路１０６と、を含んで構成される。
【００７２】
前記排水流路１０２は、一端が前記タブ６０の下部に連通し、他端が前記循環ポンプ１０４に連通する排水ベローズ管によって形成される。
【００７３】
前記案内流路１０６は、一端が前記循環ポンプ１０４に連通し、他端が前記給水流路８７，８５，７９，９１、特に、前記ドライブシャフト８６の給水流路８７に連通する循環ベローズ管によって形成される。
【００７４】
一方、前記洗濯機は、前記給水流路８７，８５，７９，９１、特に、前記ドライブシャフト８６の給水流路８７と案内流路１０６との間の漏水を防止するために設置されたシーリング部材１０８をさらに含んで構成される。
【００７５】
前記シーリング部材１０８は、前記ドライブシャフト８６またはモーター７０に固定され、前記循環ベローズ管１０７がスライド自在に配置されるか、または、前記シーリング部材１０８は、前記循環ベローズ管１０７に固定され、前記ドライブシャフト８６またはモーター７０にスライド自在に配置されるが、以下、前記ドライブシャフト８６またはモーター７０に固定され、前記循環ベローズ管１０７がスライド自在に配置される場合を説明する。
【００７６】
本実施形態による洗濯機は、前記ドラム７６の内部に布ｍを投入し、前記洗剤ボックス９６´に洗剤を入れて前記ドア５９を閉じた後、洗濯、濯ぎなどの行程及び時間を選択すると、前記給水バルブ９４´が所定時間の間オンになった後でオフになり、所定量の洗濯水ｗを供給する。
【００７７】
前記給水バルブ９４´を通過した洗濯水ｗは、前記給水ホース９５´を通過して前記洗剤ボックス９６´に流入され、前記洗剤ボックス９６´内で洗剤と混合されて前記洗剤ボックス９６´を通過し、前記給水ベローズ管９７´を通過した後、前記タブ６０の内側に供給される。
【００７８】
前記タブ６０の内側に供給された洗濯水ｗは、布ｍを濡らすために、前記ドラム７６の開口ホール７７または通孔７８を通して前記ドラム７６の内部に流入する。
【００７９】
前記給水行程の終了後、または、進行中に前記循環ポンプ１０４が所定時間の間駆動されると、前記タブ６０内の洗濯水ｗは、前記排水ベローズ管１０２を通して前記循環ポンプ１０４に排出され、前記循環ポンプ１０４によって前記案内流路１０６である循環ベローズ管にポンピングされた後、前記ドライブシャフト８６の後方に案内される。
【００８０】
前記ドライブシャフト８６の後方にポンピングされた洗濯水ｗは、本発明の第１実施形態と同様に、前記ドライブシャフト８６の給水流路８７に案内されて前記ドライブシャフト８６を通過し、前記スパイダー８０の給水流路８５に案内されて前記スパイダー８０を通過し、前記ドラム７６の給水流路７９を通過して前記リフター９０の給水流路９１に流入する。
【００８１】
前記リフター９０の給水流路９１に流入された洗剤を含む洗濯水ｗは、布ｍを濡らすために、前記噴射ノズル９２を通して前記ドラム７６の内側に向かって噴射されて布ｍに直接接触される。
【００８２】
上記のような洗濯水ｗの給水または循環が行われた後、前記モーター７０がオンになって前記ドラム７６が回転されると、前記ドラム７６のリフター９０が、布ｍを持ち上げた後、前記ドラム７６の内側上部から自重によって落下して揺れ動かすことにより、布ｍの汚染物質が落ちるようになる。
【００８３】
一方、前記洗濯機は、上記のようにドラム７６が回転する間、前記循環ポンプ１０４が所定時間の間駆動されると、前記タブ６０内の洗濯水ｗが、前記排水ベローズ管１０２、循環ポンプ１０４及び循環ベローズ管１０４を順に通過して前記ドライブシャフト８６の後方に案内され、前記ドライブシャフト８６の給水流路８７、スパイダー８０の給水流路８５、ドラム７６の給水流路７９及びリフター９０の給水流路９１を順に通過した後、前記噴射ノズル９２を通過しながら前記ドラム７４の内側に向かって強く噴射されることにより、布ｍと一層強く衝突して布ｍの洗浄力を一層向上させる。
【００８４】
前記洗濯機は、前記洗濯行程が所定時間の間行われた後、前記モーター７０をオフにし、前記排水ポンプ６６が駆動されると、前記タブ６０内の汚染された洗濯水ｗは、前記排水ベローズ管６５、排水ポンプ６６及び排水ホース６７を順に通過して前記洗濯機の外部に排出される。
【００８５】
その後、前記洗濯機は、布ｍ内の泡を濯ぐための濯ぎ行程を行う。
【００８６】
前記給水バルブ９４´のオン及びそれによる洗濯水ｗの給水動作、前記循環ポンプ１０４の駆動及びそれによる洗濯水ｗの循環動作は、前記洗濯行程時と同一であるので、その詳細な説明を省略する。給水/循環される洗濯水ｗは、布ｍに残った泡を濯ぎ、泡を含む洗濯水ｗは、前記排水ポンプ６６の駆動時、前記排水ベローズ管６５、排水ポンプ６６及び排水ホース６７を順に通過して前記洗濯機の外部に排出される。
【００８７】
図６は、本発明による洗濯機の第３実施形態の内部構成を示した断面図である。
本実施形態による洗濯機は、図６に示すように、洗濯水ｗをタブ６０に供給する給水装置９３´と、ドライブシャフト８６を支持するために設置された複数個のベアリング１１２，１１６と、前記タブ６０内の洗濯水ｗが前記複数個のベアリング１１２，１１６の間にポンピングされた後、前記ドライブシャフト８６の給水流路８７、スパイダー８０の給水流路８５、ドラム７６の給水流路７９及びリフター９０の給水流路９１を順に通過し、前記ドラム７６の内部に供給されるように、洗濯水ｗを循環させる循環装置１００´と、を含んで構成される。
【００８８】
前記給水装置９３´は、本発明の第２実施形態の給水装置と同一であるので、同一符号を付してその詳細な説明を省略する。
【００８９】
また、前記ドライブシャフト８６、複数個のベアリング１１２，１１６及び循環装置１００´以外の他の構成及び作用は、本発明の第１実施形態と同一であるので、同一符号を付してその詳細な説明を省略する。
【００９０】
前記ドライブシャフト８６には、前記複数個のベアリング１１２，１１６の間の周りに給水流路８７の入口８７ａが形成され、前記スパイダー８０側に給水流路８７の出口８７ｂが形成される。
【００９１】
前記ドライブシャフト８６には、前記複数個の入口８７ａが円周方向に沿って離隔して形成される。
【００９２】
前記循環装置１００´は、前記タブ６０内の洗濯水ｗを排出するために設置された排水流路１０２´と、この排水流路１０２´に排出された洗濯水ｗをポンピングするために設置された循環ポンプ１０４´と、この循環ポンプ１０４´でポンピングされた洗濯水ｗを前記複数個のベアリング１１２，１１６の間に案内した後、前記給水流路８７，８５，７９，９１、特に、前記ドライブシャフト８６の給水流路８７に流入するために、洗濯水ｗを前記複数個のベアリング１１２，１１６の間に案内する案内流路１０６´と、を含んで構成される。
【００９３】
前記排水流路１０２´は、一端が前記タブ６０の下部に連通し、他端が前記循環ポンプ１０４´に連通する排水ベローズ管によって形成される。
【００９４】
前記案内流路１０６´は、一端が前記循環ポンプ１０４´に連通し、他端が前記給水流路８７，８５，７９，９１、特に、前記複数個のベアリング１１２，１１６の間に連通する循環ベローズ管によって形成される。
【００９５】
前記循環ベローズ管１０６´は、前記タブ６０を貫通する案内流路として配置される。
【００９６】
一方、本実施形態による洗濯機は、洗濯水の漏出を防止するために、前記複数個のベアリング１１２，１１６のうち後方側ベアリング１１６側に設置されたシーリング部材１０８´をさらに含んで構成される。
【００９７】
前記複数個のベアリング１１２，１１６は、前記タブ６０またはモーター７０に装着される。
図面符号１２０は、前記タブ６０に装着されて前記複数個のベアリング１１２，１１６を支持するベアリングホルダーである。
【００９８】
前記ベアリングホルダー１２０は、前記ドライブシャフト８６を貫通させるために中空状に形成され、前記給水流路８７の入口８７ａに連通する。また、前記ベアリングホルダー１２０の周り一側には、前記案内ベローズ管１０６´を貫通させるための貫通ホールが形成される。
【００９９】
本実施形態による洗濯機において、前記循環ポンプ１０４´が駆動すると、前記タブ６０内の洗濯水ｗは、前記排水ベローズ１０２´を通して前記循環ポンプ１０４´に排出され、前記循環ポンプ１０４´によって前記案内流路１０６´である循環ベローズ管にポンピングされる。
【０１００】
前記循環ベローズ管１０６´にポンピングされた洗濯水ｗは、前記複数個のベアリング１１２，１１６間でポンピングされ、前記複数個のベアリング１１２，１１６間から前記ドライブシャフト８６の給水流路８７の入口８７ａに流入される。
【０１０１】
前記ドライブシャフト８６の給水流路８７の入口８７ａに流入した洗濯水ｗは、本発明の第２実施形態と同様に、前記ドライブシャフト８６の給水流路８７、スパイダー９０の給水流路８５、ドラム７６の給水流路７９及びリフター９０の給水流路９１を順に通過した後、前記噴射ノズル９２を通過しながら前記ドラム７６の内側に向かって噴射/循環される。
【０１０２】
図７は、本発明による洗濯機の第４実施形態を示した一部切欠斜視図で、図８は、本発明による洗濯機の第４実施形態の内部構成を示した断面図である。
【０１０３】
本実施形態による洗濯機は、図７及び図８に示すように、キャビネット５０に支持されたタブ６０と、このタブ６０の内側に回転自在に配置されて布を収容するドラム７６と、前記ドラム７６を回転するために設置され、前記ドラム７６の内部に連通する給水流路８７が形成されたドライブシャフト８６と、前記タブ６０内の洗濯水ｗが前記給水流路８７を通過して前記ドラム７６の内部に供給されるように、前記給水流路８７に洗濯水ｗを流動させる循環装置１００と、を含んで構成される。ここで、本発明の第１実施形態と同一の構成には同一の図面符号を付し、それに対する詳細な説明を省略する。
【０１０４】
前記タブ６０には、洗濯水ｗを前記タブ６０に供給する給水装置９３´が連結され、前記給水装置９３´は、本発明の第２実施形態と同一である。以下、給水装置９３´に対する説明は省略する。
【０１０５】
前記ドラム７６の背面部中央には、前記ドライブシャフト８６を貫通させるためのシャフト貫通ホールが形成されるか、前記ドライブシャフト８６の給水流路８７に連通する通孔７６ａが形成されるが、以下、通孔７６ａが形成された場合を説明する。
【０１０６】
前記ドラム７６の背面には、前記ドライブシャフト８６が貫通するように連結されるスパイダー８０が装着される。
【０１０７】
前記スパイダー８０は、本発明の第１実施形態と同様に、前記ドライブシャフト８６が固定されるシャフト固定部８２と、このシャフト固定部８２から半径方向に突出し、前記ドラム７６に締結部材などの固定手段によって固定される少なくとも２個以上のドラム固定部８４と、から構成される。
【０１０８】
前記シャフト固定部８２の中央には、前記ドライブシャフト８６を貫通させるために連結されるシャフト貫通ホール８３が形成される。
【０１０９】
一方、本実施形態による洗濯機において、前記ドラム７６の背面部またはドライブシャフト８２の先端には、前記給水流路８０に案内された洗濯水ｗを前記ドラム７６の内部に噴射するための噴射ノズル９８が設置される。
【０１１０】
前記噴射ノズル９８は、前記ドライブシャフト８２の先端が前記ドラム７６の背面部中央を貫通する場合、前記ドライブシャフト８２の先端に設置され、前記ドラム７６に通孔７６ａが形成された場合、前記ドラム７６の背面部内側面に設置されることが好ましい。
前記噴射ノズル９８は、案内された洗濯水ｗが前記ドラムの全方向に均一に噴射されるように、周り側だけでなく、前方にも噴射ホール９９が形成される。
【０１１１】
前記噴射ノズル９８は、布ｍの毀損を考慮して半球状に形成されることが好ましく、内部が前記ドラム７６の通孔７６ａに連通する。
【０１１２】
前記循環装置１００は、本発明の第２実施形態と同一であり、以下、循環装置１００に対する説明を省略する。
【０１１３】
また、本実施形態による洗濯機は、前記ドライブシャフト８６の給水流路８７と前記循環装置１００の案内ベローズ管１０６との間の漏水を防止するために設置されたシーリング部材１０８をさらに含んで構成され、前記シーリング部材１０８は、本発明の第２実施形態のシーリング部材と同一である。以下、シーリング部材１０９に対する詳細な説明を省略する。
本実施形態による洗濯機において、図７及び図８に示すように、前記循環装置１００の循環ポンプ１０４が駆動されると、前記タブ６０内の洗濯水ｗは、本発明の第２実施形態と同様に、前記排水ベローズ１０２、循環ポンプ１０４及び案内ベローズ管１０６を順に通過して前記ドライブシャフト８６の給水流路８７に案内される。
【０１１４】
前記ドライブシャフト８６の給水流路８７に案内された洗濯水ｗは、前記ドラム７６の背面側に移動して前記ドラム７６の通孔７６ａを通過し、前記噴射ノズル９８に流入した後、前記噴射ノズル９８の噴射ホール９９を通して前記ドラム７６の内側全方向に噴射される。
【０１１５】
前記ドラム７６の内側全方向に噴射された洗濯水ｗは、前記ドラム７６の内部で立体的に広がりながら布ｍを均一に濡らす。
【０１１６】
図９は、本発明による洗濯機の第５実施形態の内部構成を示した断面図である。
本実施形態による洗濯機は、図９に示すように、キャビネット５０に支持されたタブ６０と、このタブ６０の内側に回転自在に配置されて布ｍを収容するドラム７６と、このドラム７６を回転するために設置されたドライブシャフト８６と、このドライブシャフト８６を支持するために設置された複数個のベアリング１１２，１１６と、前記複数個のベアリング１１２，１１６の間に連通し、前記ドラム７６の内部に連通するように前記ドライブシャフト８６に形成された給水流路８７と、前記タブ６０内の洗濯水が前記複数個のベアリング１１２，１１６の間及び前記給水流路８７を順に通過して前記ドラム７６の内部に供給されるように、前記複数個のベアリングの間に洗濯水を流動させる循環装置１００´と、を含んで構成される。ここで、本発明の第１実施形態と同一構成には同一符号付し、それに対する詳細な説明を省略する。
【０１１７】
前記タブ６０には、洗濯水ｗを前記タブ６０に供給する給水装置９３´が連結され、前記給水装置９３´は、本発明の第２実施形態と同一である、以下、給水装置９３´に対する説明を省略する。
【０１１８】
前記ドラム７６の背面部中央には、本発明の第４実施形態と同様に、前記ドライブシャフト８６を貫通させるためのシャフト貫通ホールが形成されるか、前記ドライブシャフト８６の給水流路８７に連通する通孔７６ａが形成される。
【０１１９】
前記ドラム７６の背面には、前記ドライブシャフト８６が貫通するように連結されるスパイダー８０が装着され、前記スパイダー８０は、本発明の第４実施形態と同一である。以下、スパイダー８０に対する説明を省略する。
【０１２０】
一方、本実施形態による洗濯機において、前記ドラム７６の背面部またはドライブシャフト８２の先端には、前記給水流路８０に案内された洗濯水ｗを前記ドラム７６の内部に噴射するための噴射ノズル９８が設置され、この噴射ノズル９８は、本発明の第４実施形態と同一である。以下、噴射ノズル９８に対する説明を省略する。
【０１２１】
前記循環装置１００´は、本発明の第３実施形態と同一であり、以下、循環装置１００´に対する説明を省略する。
【０１２２】
また、本実施形態による洗濯機は、前記ドライブシャフト８６の給水流路８７と前記循環装置１００の案内ベローズ管１０６との間の漏水を防止するために設置されたシーリング部材１０８をさらに含んで構成され、前記シーリング部材１０８´は、本発明の第３実施形態と同一である。以下、シーリング部材１０８´に対する説明を省略する。
【０１２３】
本実施形態による洗濯機において、図９に示すように、前記循環装置１００´の循環ポンプ１０４´が駆動すると、前記タブ６０の内部に供給された洗濯水ｗは、前記排水ベローズ１０２´を通して前記循環ポンプ１０４´に排出され、この循環ポンプ１０４´によって案内ベローズ管１０６´にポンピングされる。
【０１２４】
前記案内ベローズ管１０６´にポンピングされた洗濯水は、前記複数個のベアリング１１２，１１６の間にポンピングされ、前記複数個のベアリング１１２，１１６の間から前記ドライブシャフト８６の給水流路８７の入口８７ａに流入する。
【０１２５】
前記給水流路８７の入口８７ａに流入された洗濯水ｗは、前記ドラム７６の背面側に移動して前記給水流路８７の出口８７ｂに排出され、前記ドラム７６の通孔７６ａを通過して前記噴射ノズル９８に流入した後、前記噴射ノズル９８の噴射ホール９９を通して前記ドラム７６の全方向に噴射される。
【０１２６】
前記ドラム７６の内側全方向に噴射された洗濯水ｗは、前記ドラム７６の内部で立体的に広がりながら布ｍを均一に濡らす。
【０１２７】
一方、本発明は、上記の実施形態に限定されるものでなく、本発明の第１実施形態の給水装置９３が本発明の第３実施形態の複数個のベアリング１１２，１１６の間に洗濯水ｗを供給することもできる。また、前記排水装置６４が前記循環装置１００から分岐され、前記循環装置１００の一部を通過した洗濯水を洗濯機の外部に排出することもできる。
【図面の簡単な説明】
【０１２８】
【図１】従来の洗濯機の内部を示した断面図である。
【図２】本発明による洗濯機の第１実施形態を示した一部切欠斜視図である。
【図３】本発明による洗濯機の第１実施形態の内部構成を示した断面図である。
【図４】本発明による洗濯機の第２実施形態を示した一部切欠斜視図である。
【図５】本発明による洗濯機の第２実施形態の内部構成を示した断面図である。
【図６】本発明による洗濯機の第３実施形態の内部構成を示した断面図である。
【図７】本発明による洗濯機の第４実施形態を示した一部切欠斜視図である。
【図８】本発明による洗濯機の第４実施形態の内部構成を示した断面図である。
【図９】本発明による洗濯機の第５実施形態の内部構成を示した断面図である。
【符号の説明】
【０１２９】
５０    キャビネット
６０    タブ
６４    排水装置
６５    排水ベローズ
６６    排水ポンプ
６７    排水ホース
７０    モーター
７６    ドラム
７７    開口ホール
７８    通孔
７９    給水流路
８０    スパイダー
８５    給水流路
８６    ドライブシャフト
８７    給水流路
９０    リフター
９１    給水流路
９２    噴射ノズル
９３，９３´    給水装置
９４，９４´    給水バルブ
９５，９５´    給水ホース
９６，９６´    洗剤ボックス
９７    案内流路
９７´    給水ベローズ管
９８，９８´    シーリング部材
１００，１００´    循環装置
１０２，１０２´    排水流路
１０４，１０４´    循環ポンプ
１０６，１０６´    案内流路
１１２，１１６    ベアリング
１２０    ベアリングハウジング
【図１】
2006110362.tif 000003
【図２】
2006110362.tif 000004
【図３】
2006110362.tif 000005
【図４】
2006110362.tif 000006
【図５】
2006110362.tif 000007
【図６】
2006110362.tif 000008
【図７】
2006110362.tif 000009
【図８】
2006110362.tif 000010
【図９】
2006110362.tif 000011